(57)【要約】【課題】限られた容量の記憶部に、より長時間の留守録ができる留守録付きテレビ電話装置を提供することを目的とする。【解決手段】発呼側の電話番号やＩＰアドレス等の発呼者データを認識し、その発呼者データに対応させて予め一または二以上の機能が設定された留守録手段を選択する留守録手段選択部１１を備え、前記留守録手段を自動で切り換えて留守録を行うことを特徴とする留守録付きテレビ電話装置であって、保存するデータ量を削減し、より長時間留守録を可能にした。【選択図】  図１
2004247904.tif 000002
【特許請求の範囲】
【請求項１】
発呼側の電話番号やＩＰアドレス等の発呼者データを認識するとともに、その発呼者データに対応させて予め一または二以上の機能が設定された留守録手段を選択する選択部を備え、前記留守録手段を自動で切り換えて留守録を行うことを特徴とする留守録付きテレビ電話装置。
【請求項２】
前記留守録手段は、動画および音声、静止画および音声または音声のみを記録する機能を設定できることを特徴とする請求項１記載の留守録付きテレビ電話装置。
【請求項３】
前記留守録手段は、動画および音声、または静止画および音声を記録する機能を設定できることを特徴とする請求項１記載の留守録付きテレビ電話装置。
【請求項４】
前記留守録手段は、録画する画像のフレーム数を定めておく機能を設定できることを特徴とする請求項３記載の留守録付きテレビ電話装置。
【請求項５】
前記留守録手段は、録画する画像の画像サイズまたは画素数を定めておく機能を設定できることを特徴とする請求項３または４に記載の留守録付きテレビ電話装置。
【請求項６】
前記留守録手段は、録画する画像の表示色数を定めておく機能を設定できることを特徴とする請求項３から５のいずれかの項に記載の留守録付きテレビ電話装置。
【請求項７】
前記留守録手段は、録画する画像の圧縮率を定めておく機能を設定できることを特徴とする請求項３から６のいずれかの項に記載の留守録付きテレビ電話装置。
【請求項８】
前記留守録手段は、複数の画像付き応答メッセージを記憶し、認識した前記発呼者データに対応させて前記画像付き応答メッセージを切り換えて応答する機能を設定できることを特徴とする請求項１から７のいずれかの項に記載の留守録付きテレビ電話装置。
【発明の詳細な説明】
【０００１】
【発明の属する技術分野】
本発明は、ユーザの留守中に着呼した電話に自動で応答し、予めユーザが記憶させておいた応答メッセージを送信し、発呼者の画像と音声を録画・録音することができる留守録付きテレビ電話装置に関するものである。
【０００２】
【従来の技術】
従来の留守録付きテレビ電話は、留守録モードに設定されている状態で着呼したとき、予めユーザによって登録されている応答メッセージを用いて応答し、その後発呼者の画像と音声を記憶部に録画・録音することができた。
【０００３】
また、留守録モードにおける自動応答に関しては、発信者によって画像の有無を設定できるものもある（特許文献１参照）。
【０００４】
【特許文献１】
特開平０６−２０５４０６号公報（第１−４頁、第２図）
【０００５】
【発明が解決しようとする課題】
しかしながら従来の留守録付きテレビ電話装置では、限られた容量の記憶部に受信した画像と音声をすべて保存していたので長時間の留守録をすることができなかった。
【０００６】
そこで本発明は、限られた容量の記憶部に、より長時間の留守録を可能とする留守録付きテレビ電話装置を提供することを目的とする。
【０００７】
【課題を解決するための手段】
本発明の留守録付きテレビ電話装置は、発呼側の電話番号やＩＰアドレス等を認識するとともに、その発呼者データに対応させて予め一または二以上の機能が設定された留守録手段に自動で切り換えて留守録を行うように構成したものである。
【０００８】
これにより、記憶部の容量が限られている場合でも長時間の留守録が可能となり、留守中の複数の着呼に対してその複数の発呼者それぞれに個別のメッセージを伝えることができる留守録付きテレビ電話装置が得られる。
【０００９】
【発明の実施の形態】
本発明の請求項１に記載の発明は、発呼側の電話番号やＩＰアドレス等の発呼者データを認識するとともに、その発呼者データに対応させて予め一または二以上の機能が設定された留守録手段を選択する選択部を備え、前記留守録手段を自動で切り換えて留守録を行うことを特徴とする留守録付きテレビ電話装置としたものであり、これにより電話をかけてきた相手に応じて画像の有無や画質を変えて留守録を行い保存するデータ量を削減するという作用を有する。
【００１０】
請求項２に記載の発明は、前記留守録手段は、動画および音声、静止画および音声または音声のみを記録する機能を選択できることを特徴とする請求項１記載の留守録付きテレビ電話装置としたものであり、これにより電話をかけてきた相手に応じて録画する画像データ量を削減するという作用を有する。
【００１１】
請求項３に記載の発明は、前記留守録手段は、動画および音声、または静止画および音声を記録する機能を選択できることを特徴とする請求項１記載の留守録付きテレビ電話装置としたものであり、これにより電話をかけてきた相手に応じて録画する画像データ量を削減するという作用を有する。
【００１２】
請求項４に記載の発明は、前記留守録手段は、録画する画像のフレーム数を定めておく機能を設定できることを特徴とする請求項３記載の留守録付きテレビ電話装置としたものであり、これにより電話をかけてきた相手に応じて録画する画像データ量を削減するという作用を有する。
【００１３】
請求項５に記載の発明は、前記留守録手段は、録画する画像の画像サイズまたは画素数を定めておく機能を設定できることを特徴とする請求項３または４に記載の留守録付きテレビ電話装置としたものであり、これにより電話をかけてきた相手に応じて録画する画像データ量を削減するという作用を有する。
【００１４】
請求項６に記載の発明は、前記留守録手段は、録画する画像の表示色数を定めておく機能を設定できることを特徴とする請求項３から５のいずれかの項に記載の留守録付きテレビ電話装置としたものであり、これにより電話をかけてきた相手に応じて録画する画像データ量を削減するという作用を有する。
【００１５】
請求項７に記載の発明は、前記留守録手段は、録画する画像の圧縮率を定めておく機能を設定できることを特徴とする請求項３から６のいずれかの項に記載の留守録付きテレビ電話装置としたものであり、これにより電話をかけてきた相手に応じて録画する画像データ量を削減するという作用を有する。
【００１６】
請求項８に記載の発明は、前記留守録手段は、複数の画像付き応答メッセージを記憶し、認識した前記発呼者データに対応させて前記画像付き応答メッセージを切り換えて応答する機能を選択できることを特徴とする請求項１から７のいずれかの項に記載の留守録付きテレビ電話装置としたものであり、留守時に複数の発呼者に対して個別のメッセージを伝えることができるという作用を有する。
【００１７】
（実施の形態１）
以下、本発明の実施の形態１について、図１および図２を用いて説明する。
【００１８】
図１は本発明の実施の形態１の留守録付きテレビ電話装置の構成図である。図１において１は本発明の留守録付きテレビ電話装置の全てを統括制御する主制御部、２はユーザによる電話番号入力や操作指示入力等を行うキー入力部、３は受信画像や留守録画像を表示するＬＣＤ等で構成される表示部、４は本留守録付きテレビ電話装置の動作プログラムが格納された主記憶部であり、主制御部１はこの動作プログラムに従って本留守録付きテレビ電話装置を制御する。５は公知の通信処理機能を有し、有線または無線の通信回線網と画像情報や音声情報の送受信を行う通信制御部、６は通信回線網を使った電話の通話時に受信音声を出力するスピーカー等で構成される音声出力部、７は入力された音声を電気信号に変換するマイク等で構成される音声入力部、８は入力された画像を電気信号に変換するイメージセンサ等で構成される画像入力部、９は着呼時に一般公衆回線やＩＳＤＮ回線ではｃａｌｌｅｒ  ＩＤから、ＩＰ通信ではＩＰパケット中の発信者ＩＤから発信者の電話番号やＩＰアドレスを検出する発呼者認識部、１０は発呼側の電話番号やＩＰアドレス等の発呼者データと、その電話番号やＩＰアドレス毎に一または二以上の機能が選択された留守録手段（図示せず）を記憶する留守録手段登録部、１１は発呼側の電話番号やＩＰアドレスと留守録手段を対応させる留守録手段選択部、１２は受信した画像データを留守録手段選択部１１で選択された仕様に変換する画像データ変換部、１３は画像データ変換部１２で変換された画像データと受信音声を記憶する録音録画部である。
【００１９】
以上のように構成された留守録付きテレビ電話装置において、その動作を説明する。
【００２０】
図２は本発明の実施の形態１の留守録付きテレビ電話装置の留守録モード時の動作フローチャートである。まず、予めユーザが知人の電話番号やＩＰアドレスを録画したい留守録手段と対応するようにキー入力部２より入力する。主制御部１は入力された電話番号やＩＰアドレスを留守録手段登録部１０に記憶する。また、留守録手段は、予め留守録手段登録部１０に登録されている電話番号やＩＰアドレスに対応づけて、一または二以上の機能を選択しておき、留守録手段選択部１１に登録しておく。
【００２１】
ユーザが本発明の留守録付きテレビ電話装置を留守録モードに設定している時に着呼すると（Ｓ１）、発呼者認識部９により通信網が一般公衆回線やＩＳＤＮ回線の通信であればｃａｌｌｅｒ  ＩＤ、ＩＰ通信であればＩＰパケットデータから発信者の電話番号やＩＰアドレスを検出する（Ｓ２）。留守録手段選択部１１は留守録手段登録部１０に登録されている電話番号やＩＰアドレスから発呼者の電話番号やＩＰアドレスを検索し、その発呼者の電話番号やＩＰアドレスに対応した留守録手段を主制御部１に通知する（Ｓ３）。主制御部１はオフフックして予め用意されている応答メッセージを送信した後（Ｓ４）、発呼側との接続が切断されなかったら（Ｓ５）通信制御部５で受信した画像データを画像データ変換部１２で留守録手段選択部１１によって先に選択された機能に画像データを変換し（Ｓ６）、変換した画像データと受信した音声を録音録画部１３に記憶する（Ｓ７）。通信が切断されたら（Ｓ５）着呼待ちの状態に戻る。
【００２２】
留守録手段は、例えば、通信制御部５で受信した画像データを画像データ変換部１２で、発呼者の電話番号やＩＰアドレスによって動画データのまま、静止画データに変換して、または画像無しの音声のみにして録音録画部１３に記憶する機能を選択することができる。
【００２３】
また、通信制御部５で受信した画像データを画像データ変換部１２で、発呼者の電話番号やＩＰアドレスによって動画のフレーム数を削減して録音録画部１３に記憶する機能を選択することもできる。なお、静止画を定期的に送信する通信方法を用いた場合には、静止画のフレーム数も同様に削減することができる。
【００２４】
また、通信制御部５で受信した画像データを画像データ変換部１２で、発呼者の電話番号やＩＰアドレスによって画像サイズを小さくして録音録画部１３に記憶する機能を選択することもできる。
【００２５】
また、通信制御部５で受信した画像データを画像データ変換部１２で、発呼者の電話番号やＩＰアドレスによって画像の表示色数を減らして録音録画部１３に記憶する機能を選択することもできる。
【００２６】
また、通信制御部５で受信した画像データを画像データ変換部１２で、発呼者の電話番号やＩＰアドレスによって画像データを圧縮率を変えて圧縮して録音録画部１３に記憶する機能を選択することもできる。
【００２７】
（実施の形態２）
以下、本発明の実施の形態２について、図３および図４を用いて説明する。
【００２８】
図３は本発明の実施の形態２の留守録付きテレビ電話装置の構成図である。図３において２１は本発明の留守録付きテレビ電話装置の全てを統括制御する主制御部、２２はユーザによる電話番号入力や操作指示入力等を行うキー入力部、２３は受信画像や留守録画像を表示するＬＣＤ等で構成される表示部、２４は本留守録付きテレビ電話装置の動作プログラムが格納された主記憶部であり主制御部１はこのプログラムに従って本留守録付きテレビ電話装置を制御する。
【００２９】
２５は公知の通信処理機能を有し、有線または無線の通信回線網と画像情報や音声情報の送受信を行う通信制御部、２６は通信回線網を使った電話の通話時に受信音声を出力するスピーカー等で構成される音声出力部、２７は入力された音声を電気信号に変換するマイク等で構成される音声入力部、２８は入力された画像を電気信号に変換するイメージセンサ等で構成される画像入力部、２９は着呼時に一般公衆回線やＩＳＤＮ回線ではｃａｌｌｅｒ  ＩＤから、ＩＰ通信ではＩＰパケット中の発信者ＩＤから発信者の電話番号やＩＰアドレスを検出する発呼者認識部、３０は発呼側の電話番号やＩＰアドレスとその電話番号やＩＰアドレス毎に登録された画像付き応答メッセージを記憶する応答メッセージ記憶部、３１は発呼側の電話番号やＩＰアドレスと応答メッセージを対応させる応答メッセージ選択部、３２は受信した画像データと音声データを記憶する録音録画部である。
【００３０】
以上のように構成された留守録付きテレビ電話装置において、その動作を説明する。
【００３１】
図４は本発明の実施の形態２の留守録付きテレビ電話装置の留守録モード時の動作フローチャートである。まず、予めユーザが個別の応答メッセージで応答したい相手の電話番号やＩＰアドレスをキー入力部２２から入力し、その相手それぞれに対する画像付き応答メッセージを音声入力部２７および画像入力部２８より入力する。主制御部２１は入力された電話番号やＩＰアドレスおよびそれぞれに対応する画像付き応答メッセージを応答メッセージ記憶部３０に記憶する。
【００３２】
ユーザが本発明の留守録付きテレビ電話装置を留守録モードに設定している時に着呼すると（Ｓ１１）、発呼者認識部２９により通信網が一般公衆回線やＩＳＤＮ回線の通信であればｃａｌｌｅｒ  ＩＤ、ＩＰ通信であればＩＰパケットデータから発信者の電話番号やＩＰアドレスを検出する（Ｓ１２）。応答メッセージ選択部３１は応答メッセージ記憶部３０に登録されている電話番号やＩＰアドレスから発呼者の電話番号やＩＰアドレスを検索し、その発呼者の電話番号やＩＰアドレスに対応した応答メッセージを主制御部２１に通知する（Ｓ１３）。主制御部２１はオフフックして選択された画像付き応答メッセージを応答メッセージ記憶部３０から読み出し送信する（Ｓ１４）。応答メッセージを送信した後（Ｓ１４）、発呼側との接続が切断されなかったら（Ｓ１５）通信制御部５で受信した画像データおよび音声データを録音録画部３２に記憶する（Ｓ１６）。通信が切断されたら（Ｓ１５）着呼待ちの状態に戻る。
【００３３】
応答メッセージ記憶部３０および応答メッセージ選択部３１を、第１の実施の形態の留守録手段登録部１０および留守録手段選択部１１のそれぞれ一部として設け、留守録手段選択部１１において、この応答メッセージ選択機能を選択することによって、応答メッセージ記憶部３０および応答メッセージ選択部３１が有効となるように構成してもよい。
【００３４】
【発明の効果】
以上の構成にすることにより、重要と思われない画像は、予め電話番号やＩＰアドレスに対応させて、フレーム数や表示色数やサイズや圧縮率を変えるなどして画質を落とす機能を設定しておき、録画する画像のデータを削減することにより、限られた容量の記憶部に、より長時間の留守録が可能となり、また発呼者を認識してその発呼者に対応した応答メッセージを選択し再生することができるため、留守中の複数の着呼に対してその複数の発呼者それぞれに個別のメッセージを伝えることができるという有利な効果が得られる。
【図面の簡単な説明】
【図１】本発明の実施の形態１の留守録付きテレビ電話装置の構成図
【図２】同留守録付きテレビ電話装置の動作フローチャート
【図３】本発明の実施の形態２の留守録付きテレビ電話装置の構成図
【図４】同留守録付きテレビ電話装置の動作フローチャート
【符号の説明】
１  主制御部
２  キー入力部
３  表示部
４  主記憶部
５  通信制御部
６  音声出力部
７  音声入力部
８  画像入力部
９  発呼者認識部
１０  留守録手段登録部
１１  留守録手段選択部
１２  画像データ変換部
１３  録音録画部
２１  主制御部
２２  キー入力部
２３  表示部
２４  主記憶部
２５  通信制御部
２６  音声出力部
２７  音声入力部
２８  画像入力部
２９  発呼者認識部
３０  応答メッセージ記憶部
３１  応答メッセージ選択部
３２  録音録画部
【図１】
2004247904.tif 000003
【図２】
2004247904.tif 000004
【図３】
2004247904.tif 000005
【図４】
2004247904.tif 000006